(57)【特許請求の範囲】
【請求項１】
携帯型潜在指紋の現出装置において、
ケース１００と、
内部に指紋現出液を保管する現出剤タンク６００と、
制御部の制御によって現出剤タンク６００から供給される指紋現出液を震動させて微細噴出装置３００を通じて微細水滴を噴射させる振動子８１０と、
振動子８１０によって形成された微細水滴を外部へ放出させる微細噴出装置３００と、
対象物にユーブイ（ＵＶ）光を照射させるユーブイランプ２００と、
振動子８１０を制御する制御部８２０と、を備える
ことを特徴とする携帯型潜在指紋の現出装置。
【請求項２】
前記微細噴出装置３００とユーブイランプ２００が等しい方向を向けるように構成され、微細水滴に噴射される現出液とユーブイランプ２００と等しい領域に作動して噴射と同時に検出がなされる
請求項１に記載の携帯型潜在指紋の現出装置。
【請求項３】
前記現出剤タンク６００が前記ケース１００の後面に形成され、内部に指紋現出液を保管してタンク６００を開閉することができる栓を有する
請求項１または２に記載の携帯型潜在指紋の現出装置。
【請求項４】
前記微細噴出装置３００が前記ケース１００の前面に形成され、前記振動子８１０によって形成される微細水滴を外部へ放出させる小孔を多数有する
請求項１ないし３のいずれかに記載の携帯型潜在指紋の現出装置。
【請求項５】
前記ユーブイランプ２００が前記微細噴出装置３００の周辺に一定の間隔に設置され、前記対象物にユーブイ光を照射させるLEDで構成される
請求項１ないし４のいずれかに記載の携帯型潜在指紋の現出装置。
【請求項６】
前記対象物に指紋が現出されば、指紋イメージを獲得してメモリー部８３０に前記制御部８２０の制御によって保存させるカメラ７００と、
前記カメラ７００によって獲得された指紋イメージを保存するメモリー部８３０と、を有する
請求項１ないし５のいずれかに記載の携帯型潜在指紋の現出装置。
【請求項７】
イメージを認識して指紋イメージの可否を判別する指紋イメージ判別部を有し、持続的に作動するカメラを通じてイメージを獲得して指紋イメージの場合、これを自動認知してイメージを前記メモリー部８３０に保存する
請求項６に記載の携帯型潜在指紋の現出装置。
【請求項８】
外部端末機９００と接続して指紋イメージを送るUSBポート部８００を有する
請求項１ないし７のいずれかに記載の携帯型潜在指紋の現出装置。
【請求項９】
微細水滴を噴射させる噴射スィッチ４００を有する
請求項１ないし８のいずれかに記載の携帯型潜在指紋の現出装置。
【請求項１０】
前記噴射スィッチ４００が押された時に前記ユーブイランプ２００が同時に動作する
請求項９に記載の携帯型潜在指紋の現出装置。
【請求項１１】
携帯型潜在指紋の現出装置において、
ケース１００と、
前記ケース１００の後面に形成され、内部に指紋現出液を保管する現出剤タンク６００と、
制御部８２０の制御によって現出剤タンク６００から供給される指紋現出液を震動させて微細噴出装置３００を通じて微細水滴を噴射させる振動子８１０と、
前記ケース１００の前面に形成され、前記振動子８１０によって形成された微細水滴を外部へ放出させる微細噴出装置３００と、
前記微細噴出装置３００の周辺に一定の間隔に設置されて対象物にユーブイ光を照射させるユーブイランプ２００と、
対象物に指紋が現出されば、自動的に撮影して指紋イメージをメモリー部８３０に制御部８２０の制御によって保存させるカメラ７００と、
前記カメラ７００によって撮影された指紋イメージを保存するメモリー部８３０と、
外部端末機９００と接続して指紋イメージを送るUSBポート部８００と、
微細水滴の噴射及びユーブイランプ２００を動作させる噴射スィッチ４００と、
前記振動子８１０と、前記ユーブイランプ２００と、前記カメラ７００と、前記メモリー部８３０と、前記USBポート部８００と、前記噴射スィッチ４００とを制御する制御部８２０と、を備える
ことを特徴とする携帯型潜在指紋の現出装置。
【請求項１２】
前記ケース１００に形成されたユーブイランプ２００が、前記カメラ７００と電気的に接続されている
請求項１ないし１１のいずれかに記載の携帯型潜在指紋の現出装置。
【請求項１３】
前記ケース１００の後面部の一側に、電源を供給するための電源供給部５００を有する
請求項１ないし１２のいずれかに記載の携帯型潜在指紋の現出装置。
【請求項１４】
前記噴射スィッチ４００の操作時、その操作信号を制御部８２０で獲得して噴射と同時にユーブイ光照射を遂行するように前記微細噴出装置３００と前記ユーブイランプ２００に動作信号を送り出して対象物についている指紋を確認する場合に、前記カメラ７００に動作信号を提供して指紋イメージを撮影する
請求項１ないし１３のいずれかに記載の携帯型潜在指紋の現出装置。
【請求項１５】
前記ユーブイランプ２００を少なくとも一つ以上備え、長波長ユーブイランプと短波長ユーブイランプをそれぞれ複数個有する
請求項１ないし１４のいずれかに記載の携帯型潜在指紋の現出装置。
【請求項１６】
前記カメラ７００を動作するカメラスィッチを有する
請求項１１ないし１５のいずれかに記載の携帯型潜在指紋の現出装置。
【発明の詳細な説明】
【技術分野】
【０００１】
本発明は携帯型潜在指紋の現出装置に関するものである。詳細には、振動子を利用して指紋現出液の微細噴射を遂行した後、UV LEDを利用して指紋の外形的な形態を可視的に確認することができることと同時に、カメラを通じて撮影して該当のイメージを外部端末機へ提供する携帯型潜在指紋の現出装置に関する。
【背景技術】
【０００２】
カラープリンターやスキャナーなどの最先端デジタル装備の普及により、全世界的に偽造紙幤が急増している。
【０００３】
また、国内外で使っている偽札鑑識機は高価であり、使うものが不便であるので、その普及が制限的である。
【０００４】
一方、銀行の発表資料によれば、２００９年に高額券である５万ウォンが発行することと同時に、高額券を狙う偽造犯による偽造券の発生確率が高くなった。
【０００５】
コンピューター周辺器機である事務自動化器機の発達とともに、４００dpiから１４４０dpiまでの解像度を持つ再現力が優秀なデジタルカラー出力機(コピー機やプリンター機)の登場によって、銀行券及び有価証券を易しくコピーして偽造するなどの各種犯罪が発生されるいる。
【０００６】
このような問題を解決するために、多いコピー偽造防止方法たちが研究されているし、このようなコピー偽造防止技術として、銀貨、銀線、蛍光繊維(fluorescence color fiber)、光可変インク、視変角変色物質、凹版印刷、蛍光インク、凹版潜像、微細文字、線画印刷などを適用している。
【０００７】
銀行券及び有価証券に適用された偽造防止技術の真偽識別方法は、明るい光から銀貨部分を映して見れば、特殊文様または文字が現われ、凹版印刷部分で、額面、文字、建築物などが触感で確認される。
【０００８】
また、蛍光インクは、紫外線蛍光ランプと赤外線蛍光ランプを利用して銀行券に赤外線及び紫外線光照射の時、蛍光物質固有の色相が発光することによって、
真券と偽造券を区分しているし、磁性インクが適用された紙幤及び有価証券は、マグネチックで磁性の有無を判断して真券と偽造券を区分する。
【０００９】
しかし、カラー出力機(コピー機やプリンター機)を利用して精巧にコピー及び偽造した後、偽変造防止技術である銀貨、部分露出銀線、蛍光物質、凹版印刷などを透明インク、銀粉インク、アルミニウム薄膜フィルム、エンボシング器機などを利用して模倣偽造して使われるので、一般人たちは銀行券や有価証券などを真偽識別しにくい実情である。
【００１０】
また、銀行券、有価証券、および身分証明書などを国際的な専門偽造犯たちによる偽造券の発生する素地がある。
【００１１】
一般人は、日常生活でこんな危険にいつも露出していて、銀行券、有価証券及びコピー妨害用紙などの保安製品の真偽鑑識の必要性は更に大きくなっている。
銀行で使われる精密器機は、その大きさ、費用、及び管理に多い問題点によって一般人たちが易しく使いにくいものが現実である。
【００１２】
したがって、一般人が時間と場所にかかわりなく、多様な保安製品の真偽可否を把握することができる携帯が容易い多機能偽造鑑識機の開発が要求される。
【００１３】
また、犯罪現場で使われる指紋鑑識機は、現出液を塗るか、または、 振りかけて使うので、指紋が崩れ壊れるか、または、消えたりするので、望ましくない。また、現出液を振りかけた後、またUV LEDを映して見なければならないという煩わしさがあり、速い時間以内に犯罪現場で証拠を収集するのは不便である。
【発明の概要】
【発明が解決しようとする課題】
【００１４】
そこで、本発明は、前記のような従来の問題に鑑み、振動子を利用して指紋現出液の微細噴射を遂行した後、UV LEDを利用して指紋の外形的な形態を可視的に確認することができることと同時に、カメラを通じて撮影して該当のイメージを外部端末機へ提供して撮影イメージを保存するようにする携帯型潜在指紋の現出装置の提供を課題とする。
【００１５】
本発明の他の目的は、現出液を振り撤くか塗らなく、微細噴射ができるように構成し、微細噴射と同時にUV LEDを照らしてくれることによって、広い空間に噴射しながら直ちに指紋が存在することを検出するように設計された携帯型潜在指紋の現出装置の提供することにある。
【００１６】
本発明のさらに他の目的は、携帯型潜在指紋の現出装置を提供して使用者に便利な携帯性及び保管の便利性を提供する携帯型潜在指紋の現出装置の提供することにある。
【課題を解決するための手段】
【００１７】
前記本発明の目的を円滑に果たす本発明よる携帯型潜在指紋の現出装置は、携帯型潜在指紋の現出装置において、
ケース１００と、
内部に指紋現出液を保管する現出剤タンク６００と、
制御部の制御によって現出剤タンクから供給される指紋現出液を震動させて微細噴出装置３００を通じて微細水滴を噴射させる振動子８１０と、
前記振動子によって形成された微細水滴を外部へ放出させる微細噴出装置３００と、
対象物にユーブイ光を照射させるユーブイランプ２００と、
前記振動子を制御するための制御部８２０と、を含んで構成されることを特徴とする。
【００１８】
望ましくは、前記微細噴出装置とユーブイランプは、等しい方向を向けるように構成されて微細水滴に噴射される現出液とユーブイランプと等しい領域に作動して噴射と同時に検出が成り立つようにする。
【００１９】
望ましくは、前記現出剤タンク６００は、前記ケースの後面に形成されているし、内部に指紋現出液を保管してタンクを開閉することができる栓が別に形成される。
【００２０】
望ましくは、前記微細噴出装置３００は、前記ケースの前面に形成されているし、前記振動子によって形成された微細水滴を外部へ放出させるために小さな孔を多数ヶ形成する。
【００２１】
望ましくは、前記ユーブイランプ２００は、前記微細噴出装置の周辺に一定の間隔に設置構成されて対象物にユーブイ光を照射させるLEDで構成される。
【００２２】
望ましくは、前記対象物に指紋が現出されば、指紋イメージを獲得して前記メモリー部に前記制御部の制御によって保存させるカメラ７００と、前記カメラによって獲得された指紋イメージを保存するメモリー部８３０と、を更に含む。
【００２３】
望ましくは、イメージを認識して指紋イメージ可否を判別する指紋イメージ判別部を別に構成して、持続的に作動するカメラを通じてイメージを獲得して指紋イメージの場合、これを自動認知してイメージを前記メモリー部に保存する。
【００２４】
望ましくは、前記外部端末機９００と接続して指紋イメージを送るためのUSBポート部８００を更に含む。
【００２５】
望ましくは、微細水滴を噴射させるための噴射スィッチ４００を更に含む。
【００２６】
望ましくは、前記噴射スィッチ４００を押せば、前記ユーブイランプも同時に動作する。
【００２７】
前記本発明の目的を円滑に果たすための本発明の他の一実施例による本発明よる携帯型潜在指紋の現出装置は、
携帯型潜在指紋の現出装置において、
ケース１００と、
前記ケースの後面に形成されているし、内部に指紋現出液を保管する現出剤タンク６００と、
制御部の制御によって現出剤タンクから供給される指紋現出液を震動させて微細噴出装置３００を通じて微細水滴を噴射させる振動子８１０と、
前記ケースの前面に形成されているし、前記振動子によって形成された微細水滴を外部へ放出させる微細噴出装置３００と、
前記微細噴出装置の周辺に一定の間隔に設置構成されて対象物にユーブイ光を照射させるユーブイランプ２００と、
対象物に指紋が現出されば、自動的に撮影して指紋イメージをメモリー部に制御部の制御によって保存させるカメラ７００と、
前記カメラによって撮影された指紋イメージを保存するメモリー部８３０と、
外部端末機９００と接続して指紋イメージを送るためのUSBポート部８００と、
微細水滴噴射及びユーブイランプを動作させるための噴射スィッチ４００と、
前記振動子８１０と、前記ユーブイランプ２００と、前記カメラ７００と、前記メモリー部８３０と、前記USBポート部８００と、噴射スィッチを制御するための制御部８２０と、を含んで構成されることを特徴とする携帯型潜在指紋の現出装置。
【００２８】
望ましくは、前記ケースに形成されたユーブイランプは、前記カメラと電気的に繋がれている。
【００２９】
望ましくは、前記ケース後面部の一側に、電源を供給するための電源供給部５００を更に含んで構成する。
【００３０】
望ましくは、前記噴射スィッチ操作の時、該当の操作信号を制御部で獲得して噴射と同時にユーブイ光照射を遂行するように微細噴出装置とユーブイランプに動作信号を送り出して対象物についている指紋を確認する場合に、前記カメラに動作信号を提供して指紋イメージを撮影する。
【００３１】
望ましくは、前記ユーブイランプを、少なくとも一つ以上構成するようになるが、長波長ユーブイランプと短波長ユーブイランプをそれぞれ複数個構成する。
【００３２】
望ましくは、前記カメラ７００を動作するためのカメラスィッチが更に構成される。
【図面の簡単な説明】
【００３３】
【図１】本発明の一実施例による携帯型潜在指紋の現出装置のブロック構成図
【図２】本発明の一実施例による携帯型潜在指紋の現出装置が動作される場合、噴射と同時にユーブイランプ動作の時、潜在指紋を肉眼で確認することができることを現わした写真
【図３】本発明の一実施例による携帯型潜在指紋の現出装置の前面部斜視図
【図４】本発明の一実施例による携帯型潜在指紋の現出装置を利用した潜在指紋認識效果と従来方式に従った潜在指紋認識效果を比べた説明図
【図５】本発明の一実施例による携帯型潜在指紋の現出装置の他の前面部斜視図
【図６】本発明の一実施例による携帯型潜在指紋の現出装置の微細噴出装置とユーブイランプの拡大説明図
【図７】本発明の一実施例による携帯型潜在指紋の現出装置の後面部斜視図
【図８】本発明の一実施例による携帯型潜在指紋の現出装置の後面部斜視図
【図９】本発明の他の一実施例による携帯型潜在指紋の現出装置を現わした説明図
【発明を実施するための形態】
【００３４】
以下に、本発明を添付の例示図面に基づいて詳細に説明する。
【００３５】
図１は本発明の一実施例による携帯型潜在指紋の現出装置のブロック構成図であり、図２は本発明の一実施例による携帯型潜在指紋の現出装置が動作される場合、噴射と同時にユーブイランプ動作の時、潜在指紋を肉眼で確認することができることを現わした例示図であり、図３は本発明の一実施例による携帯型潜在指紋の現出装置の前面部斜視図であり、図４は本発明の一実施例による携帯型潜在指紋の現出装置を利用した潜在指紋認識效果と従来方式に従った潜在指紋認識效果を比べた例示図であり、図５は本発明の一実施例による携帯型潜在指紋の現出装置の他の前面部斜視図であり、図６は本発明の一実施例による携帯型潜在指紋の現出装置の微細噴出装置とユーブイランプを拡大した拡大図であり、図７及び８は本発明の一実施例による携帯型潜在指紋の現出装置の後面部斜視図である。
【００３６】
図示したように、本発明の一実施例による携帯型潜在指紋の現出装置は、
ケース１００と;
前記ケースの後面に形成されているし、内部に指紋現出液を保管する現出剤タンク６００と;
制御部の制御によって前記現出剤タンク６００から供給される指紋現出液を震動させて微細噴出装置３００を通じて微細水滴を噴射させる振動子８１０と;
前記ケース１００の前面に形成されているし、前記振動子８１０によって形成された微細水滴を外部へ放出させる微細噴出装置３００と;
前記微細噴出装置の周辺に一定の間隔に設置構成されて対象物にユーブイ光を照射させるユーブイランプ２００と;
対象物に指紋が現出されば、自動的に撮影して指紋イメージをメモリー部に制御部の制御によって保存させるカメラ７００と;
前記カメラ７００によって撮影された指紋イメージを保存するメモリー部８３０と;
外部端末機９００と接続して指紋イメージを送るためのUSBポート部８００と;
前記振動子８１０と、前記ユーブイランプ２００と、前記カメラ７００と、前記メモリー部８３０と、前記USBポート部８００とを制御するための制御部８２０と;を含んで構成するようになる。
【００３７】
前記ケース１００は、前面部と後面部で構成するようになり、ケース１００の後面には、内部に指紋現出液を保管する現出剤タンク６００と電源を供給するための電源供給部５００を構成するようになり、前面部には、カメラ７００、ユーブイランプ２００及び微細噴出装置３００を含んで構成するようになる。
【００３８】
前記振動子８１０は、制御部８２０の制御によって現出剤タンク６００から供給される指紋現出液を震動させて微細噴出装置３００を通じて微細水滴を噴射させるようになる。
【００３９】
また、微細噴出装置３００は、ケースの前面に形成されているし、前記振動子８１０によって形成された微細水滴を外部へ放出させるようになることである。
前記微細噴出装置３００は、均等に対象物に微細水滴たちが広がるようにするためのものである。前記微細噴出装置３００によって外部へ微細水滴を噴射する構成及び技術は、当業者に広く知られた技術なので、詳細な説明は略する。
【００４０】
また、ユーブイランプ(UV LED)２００は、微細噴出装置３００の周辺に一定の間隔に設置構成されて対象物にユーブイ光を照射させるようになる。
【００４１】
一方、前記ユーブイランプ２００は、長波長を発生させるランプと短波長を発生させるランプを適切に多数ヶで配するようになる。
【００４２】
例えば、４個のユーブイランプを構成したら、２個は長波長ユーブイランプを構成し、２個は短波長ユーブイランプを構成するようになる。
【００４３】
前記カメラ７００は、対象物に指紋が現出されば、自動的に撮影して指紋イメージをメモリー部８３０に制御部８２０の制御によって保存させるようになる。
【００４４】
前記指紋を認識して自動的に撮影するカメラ７００は、当業者に知られた技術なので、詳細な説明は略する。
【００４５】
前記メモリー部８３０には、カメラ７００によって撮影された指紋イメージが保存されているし、前記USBポート部８００は、外部端末機９００と接続して指紋イメージを外部端末機へ送るようになる。
【００４６】
また、前記制御部８２０は、振動子８１０と、ユーブイランプ２００と、カメラ７００、メモリー部８３０と、USBポート８００部とを制御するようになる。
【００４７】
付加的な様相による本発明の装置は、微細水滴噴射及びユーブイランプ２００を動作させるための噴射スィッチ４００;を更に含んで構成するようになる。
【００４８】
前記噴射スィッチ４００には、微細水滴の噴射のための操作ボタンとユーブイランプ２００を動作させるための操作ボタンが構成するようになるか、または、一度押せば、微細水滴を噴射し、二度押せば、ユーブイランプの噴射を遂行することもできる。
【００４９】
例えば、噴射スィッチ４００を操作者が押すようになれば、制御部８２０で該当の信号を獲得して振動子８１０に動作信号を送り、振動子８１０が震動するようにした後、一定の時間以後に微細噴出装置３００によって微細水滴が噴射するようになる。
【００５０】
また、噴射と同時にユーブイランプ２００に動作信号を送り出して、点燈させるようになり、指紋が認識される場合、カメラ７００に動作信号を送り出して指紋イメージを撮影するようになる。
【００５１】
すなわち、犯行現場で、噴射と同時にユーブイ光を照射して肉眼で指紋を確認するようにすることと同時に、指紋を撮影して該当のイメージを保存するようにする。
【００５２】
また、潜在指紋をカメラ７００で直接撮影するようになって潜在指紋イメージを別途の操作なしにリアルタイムですぐ保存するようになる。
【００５３】
この時、ユーブイランプ２００は、カメラ７００と電気的に繋がれていなければならなく、電源供給方法は当業者に広く知られた技術なので、詳細な説明は略する。
【００５４】
一方、図４に示したように、従来の指紋を認識するための技術は、一般噴霧器を利用した方式とユーブイランプを照射する方式を利用しているが、本発明の場合、噴射と同時にユーブイランプ２００を照射するようになるので、指紋現出の效果的な側面でもずっと優秀である。
【００５５】
また、本発明の前記微細噴出装置３００とユーブイランプ２００は、等しい方向を向けるように構成されて、微細水滴に噴射される現出液とユーブイランプと等しい領域に作動して噴射と同時に検出が成り立つようにすることを特徴とする。
【００５６】
また、前記現出剤タンク６００は、内部に指紋現出液を保管してタンクを開閉することができる栓が別に形成されるようになる。
【００５７】
また、前記微細噴出装置３００は、前記振動子によって形成された微細水滴を外部へ放出させるために小さな孔を多数形成するようになる。
【００５８】
また、前記ユーブイランプ２００は、望ましくは微細噴出装置３００の周辺に一定の間隔に設置構成されて対象物にユーブイ光を照射させるLEDで構成されたことを特徴とする。
【００５９】
一方、付加的な様相によってイメージを認識して指紋イメージ可否を判別する指紋イメージ判別部を別に構成して、持続的に作動するカメラ７００を通じてイメージを獲得して指紋イメージの場合、これを自動認知してイメージを前記メモリー部８３０に保存することを特徴とする。
【００６０】
また、本発明の特徴は、噴射スィッチ４００を押せば、前記ユーブイランプ２００も同時に動作するように制御するようになる。
【００６１】
さらに、前記潜在指紋現出剤の場合、素材側面で、体質顔料として、タルク、マイカ、シリカなどを使用し、有色顔料として、酸化チタン、硫酸バリウム、炭酸カルシウムの白色系粉末と、カーボンブラック、黒煙、二硫化モリブデンなどの黒色系無彩色粉末を使った圧縮式粉末が使われている。
【００６２】
一方、犯行現場で肉眼で見えない潜在指紋を本発明の装置を利用して噴射と同時にUV光が照射されることによって、肉眼で確認するようにすることと同時に指紋を撮影することができる。
【００６３】
図９は、本発明の他の一実施例による携帯型潜在指紋の現出装置を現わした斜視図である。
【００６４】
一方、本発明の他の一実施例による携帯型潜在指紋の現出装置は図９に示したように、ガン形態の携帯型潜在指紋の現出装置で構成することもできる。
【００６５】
すなわち、本発明の他の一実施例による携帯型潜在指紋の現出装置は、
現出剤タンク１３００から供給される指紋現出液を震動させて微細水滴を噴射させる超音波振動子１０００と;
対象物にユーブイ光を照射させるユーブイランプ１１００と;
ユーブイランプの上側に、噴霧の時、ファンを動作させるために構成される小型モーター１２００と;
ケースの中央部位に形成される現出剤タンク１３００と;
下側取っ手の内部に形成されるPCB ２４PINコネクター１４００と;
前記PCB ２４PINコネクターの上端に構成されるリチウムイオンバッテリー１５００と;
ケースの下端に設置構成されて前記リチウムイオンバッテリーを充電させるための２４ピン充電用連結ポート１６００と;を含んで構成される。
【００６６】
すなわち、超音波振動子１０００を前方に設置構成し、上側にユーブイランプ１１００を設置構成し、最上側に噴霧の時、ファン(未図示)を動作させるための小型モーター１２００を設置構成するようになる。
【００６７】
また、本体の中央部位に現出剤タンク１３００を構成し、下側取っ手の内部にPCB ２４PINコネクター１４００を設置構成し、コネクターの上端にリチウムイオンバッテリー１５００を構成するようになる。
【００６８】
一方、下端に２４ピン充電用連結ポート１６００を構成して必要によってバッテリーを充電して使うように構成することもできる。
【００６９】
前記のように、本発明の実施例による携帯電話形態の携帯型潜在指紋の現出装置を形成することもできるが、ガン形態の潜在指紋の現出装置を形成することもできる。
【００７０】
以上に、本発明を実施例によって説明したが、本発明は実施例によって限定されず、本発明が属する技術分野において通常の知識を有するものであれば、本発明の思想と精神を離れることなく、本発明を修正または変更できる。
【符号の説明】
【００７１】
１００  ケース
２００  ユーブイランプ（UV Lamp）
３００  微細噴出装置
４００  噴射スィッチ
６００  現出剤タンク
７００  カメラ
８００  ＵＳＢポート部
８１０  振動子
８２０  制御部
８３０  メモリー部
【図１】
0005521234.tif 000002
【図２】
0005521234.tif 000003
【図３】
0005521234.tif 000004
【図４】
0005521234.tif 000005
【図５】
0005521234.tif 000006
【図６】
0005521234.tif 000007
【図７】
0005521234.tif 000008
【図８】
0005521234.tif 000009
【図９】
0005521234.tif 000010